(57)【特許請求の範囲】
【請求項１】
火災感知器が設置される警戒区域が描かれた表示シートと、該表示シートの裏側に設けられ、該表示シートを照らす表示素子と、前記表示シートの裏側に設けられ、マトリクス状に縦横複数にわたって多数の保持穴が形成された取付板とを有し、火災受信機の扉に設けた窓孔に設けられる表示部であって、
前記保持穴の内径は、前記表示素子の外径とほぼ等しく形成され、前記取付板の裏側から挿入された前記表示素子が該保持穴内で保持され、
前記表示シートの裏面には、該表示シート及び前記取付板とほぼ同じ大きさの拡散シートが設けられることを特徴とする火災受信機の表示部。
【請求項２】
前記拡散シートは、前記表示素子が点灯するときに、該表示素子からの光面積を大きく確保して、前記表示シート上の対応する部分を見やすくすると共に、前記取付板の保持穴を目隠しすることを特徴とする請求項１記載の火災受信機の表示部。
【発明の詳細な説明】
【０００１】
【発明の属する技術分野】
本発明は、火災受信機の表示部に関するもので、特に建物内部の改装やレイアウト変更が行われ警戒区域がかわる時に、容易に対応することが可能な、火災受信機の表示部に関するものである。
【０００２】
【従来の技術】
建築物には、火災感知器が設置され、警戒区域毎に火災受信機によって火災の監視が行われている。火災受信機の表示部には、警戒区域毎に、表示窓などが設けられ、火災感知器の動作に伴って、表示窓が点灯する。このようにして、火災受信機の操作者は、どこの警戒区域で火災が発生したかを知ることができる。
【０００３】
ところで、建築物は、利用者により、改装やレイアウト変更が行われる。このレイアウト変更に伴い、警戒区域にも変更が生じるので、火災受信機の表示部もそれに合わせて変更しなければならない。この表示部の変更作業は面倒なものであり、それを容易にする火災受信機が、特許第２９２０７５７号に警戒地図表示式制御機器として開示されている。以下、この特許第２９２０７５７号の警戒地図表示式制御機器を従来例として説明する。
【０００４】
図４は従来例の分解斜視図、図５は従来例の正面図、図６は従来例の表示部の部分拡大図、図７は従来例の光源の取付構造を示す拡大断面図である。この従来例の火災受信機は、一例として、５階建ての旅館の火災を警戒・制御する場合について説明してある。図において、１は火災受信機である。２は受信機１の筐体、３は筐体の本体、４は扉である。扉４はヒンジにより本体３に開閉可能に支持され、前面には窓孔４１が設けられている。４３は扉４の裏側の窓孔４１の近くに固定されたネジ棒、４４はネジ棒４３に螺合する蝶ネジである。
【０００５】
５は表示部、７はほぼ下半分がカバーで覆われた操作部である。５ａは表示部５の表示窓、７ａは操作部７の操作パネルである。表示部５と操作部７は共に扉４の内部側に取り付けられ、窓孔４１を通して表示窓５ａを前面に露出し、操作パネル７ａも同様の構造により前面に露出している。
【０００６】
表示部５には図５に示すように、建築物全体を全警戒制御領域として、１階から５階の各階層毎の一定の警戒域を建築物に合わせて図形化した５つの図形５０が横一列に順に並べて表示されている。５１は表示窓５ａにおける窓板、５２は表示シートである。窓板５１には幾分厚い透明なアクリル樹脂等が使用され、表示シート５２にはマイラーフィルムのような半透明の樹脂フィルムが用いられていて、表示シート５２は窓板５１に裏にテープなどで貼り付けられる。表示部５の部分拡大図を、図６に示す。
【０００７】
図６の５２ａは各階の警戒域を区画する点線や実線の区画線、５２ｂは区画線５２ａで区画されて丸数字▲１▼，▲２▼，…が付された地区番号、５２ｃは階層内に設けられた部屋の用途や防火設備等を表示する文字である。
【０００８】
５３は位置決めシート、５６は鋼板のような磁性材からなる取付板である。取付板５６は図示のようにほぼ凸型に折り曲げられ、四隅に取付用の孔５６ａを設けた取付片５６ｂが突出して設けられている。そして表示シート５２と同じ図形をプリントした位置決めシート５３が、取付板５６の表面に貼り付られている。
【０００９】
図７において、５４は光源である。光源５４にはスポット状の光を投射する、例えば強指向性の発光ダイオード（以下、ＬＥＤ）が選択される。ＬＥＤ５４には、下端から、真っ直ぐに延長された２本のリード脚が設けられ、５４ｂはそのリード脚から横に導出された接続用の導線である。
【００１０】
８１は合成樹脂等で成型した絶縁材の円筒状のホルダ、８２は円板形の磁石である。ホルダ８１の上下には磁石８２とＬＥＤ５４が嵌め合わされて接着剤等で固着され、途中から接続用の導線５４ｂが引き出されている。そして磁石８２によりホルダ８１が取付板５６の表面側に磁気により取り付けられている。
【００１１】
この従来例において、建築物の階層の内部のレイアウトの変更があったときは、次のようにして表示部５が改造され、レイアウトの変更に速やかに対応することができる。まず受信機１の扉４を開けて、蝶ネジ４４等を緩めて表示部５の取付板５６を取り外す。
【００１２】
取付板５６から光源５４のホルダ８１を外し取っておく。扉４の内側に取り残された窓板５１の裏に貼りつけられた古い表示シート５２を剥がしてから廃棄する。次いで、古い表示シート５２と位置決めシート５３を、何れも予め作り直した新しいもの、つまり新たなレイアウトの図形が印刷されたものに取り替える。取替後、ホルダ８１を磁石８２の吸引力で取付板５６に吸着させて、位置決めシート５３の図形をもとに、ＬＥＤ５４をレイアウト変更後の所定の位置に移す。このように光源５４を取付板５６上で簡単に移し替えることができるようになっている。
【００１３】
【発明が解決しようとする課題】
この従来の火災受信機では、光源の位置を変更するために、光源をホルダ内に収容し、また磁石を使用しているので、光源の保持構造が複雑で安価でない。またホルダを使用しているので、光源からのリード線の取り出しが面倒であるという問題点がある。本発明は以上の問題を解決するためになされたもので、光源を簡単な構造で、容易に動かすことができるようにすることを目的とするものである。
【００１４】
【課題を解決するための手段】
本発明は以上の問題点を解決するためになされたもので、火災感知器が設置される警戒区域が描かれた表示シートと、該表示シートの裏側に設けられ、該表示シートを照らす表示素子と、前記表示シートの裏側に設けられ、マトリクス状に縦横複数にわたって多数の保持穴が形成された取付板とを有し、火災受信機の扉に設けた窓孔に設けられる表示部であって、保持穴の内径は、表示素子の外径とほぼ等しく形成され、取付板の裏側から挿入された前記表示素子が該保持穴内で保持され、表示シートの裏面には、該表示シート及び取付板とほぼ同じ大きさの拡散シートが設けられることを特徴とするものである。
【００１５】
【発明の実施の形態】
図１は本発明の火災受信機の表示部の斜視図、図２は表示部の断面図、図３は取付板の保持穴の拡大正面図である。図において、５２Ａは表示シートで、火災感知器が設置される警戒区域の図形が描かれている。つまり従来の図６のような警戒区域の図形や文字が表示されている。５５は表示シート５２Ａの裏面に設けられた乳白色の拡散シートである。拡散シート５５は、後述する光源５４Ａが点灯する時に、光源５４Ａからの光面積を大きく確保して、表示シート５２Ａ上の対応する部分を見やすくする。
【００１６】
５１Ａは拡散板５５の裏側に設けられた窓板である。窓板５１Ａは、例えば透明のアクリル板などからなり、光の通り路としての多数の円筒状の挿通穴５１Ｂがマトリクス状に形成されている。窓板５１Ａの前面に拡散シート５５が接着剤などで貼り付けられることで、窓板５１Ａの挿通穴５１Ｂは目隠しされる。５６Ａは、窓板５１Ａの裏側に接着して設けられた取付板である。取付板５６Ａは、窓板５１Ａと同様なアクリル板などからなり、多数の保持穴５６Ｂがマトリクス状に形成されている。この保持穴５６Ｂは、窓板５１Ａの挿通穴５１Ｂと対応した位置に設けられている。
【００１７】
５４Ａは光源としてのＬＥＤからなる表示素子で、表示シート５２Ａの図形や文字を照射して照らすものである。表示素子５４Ａのリード線は図示しないプリント基板に、直接またはコネクタ等を介して取り付けられている。この表示素子５４は、取付板５６Ａの裏側から挿入され、保持穴５６Ｂ内で保持されるようになっている。
【００１８】
つまり図２の断面図に示すように、保持穴５６Ｂの内径は、表示素子５４Ａの外径とほぼ等しく形成され、保持穴５６Ｂ内で表示素子５４Ａが嵌合されるようになっている。これに対し、挿通穴５１Ｂは、保持穴５６Ｂの径より大きく、表示素子５４Ａの先端部がわずかに入りこむようになっている。なお、窓板５１Ａに挿通穴５１Ｂを設けることにより、表示素子５４Ａの光は挿通穴５１Ｂを通って、拡散シート５５を介して表示シート５２Ａを照らし、描かれた図形を点灯させる。このように挿通穴５１Ｂはライトガイド的な役割を担う部材である。
【００１９】
なお図３に示した保持穴５６Ｂの正面図のように、保持穴５６Ｂは円形である必要はなく、円周部分が波状になっていてもよい。また全体が歯車状または星型に形成されていてもよく、このような形状の保持穴５６Ｂの場合には、表示素子５４Ａとの接する部分が少ないので、取付板５６Ａから表示素子５４Ａを取り外しやすくすることができる。
【００２０】
以上で説明した表示シート５２Ａ、窓板５１Ａ、取付板５６Ａ及び光源５４Ａが、それぞれ従来例の表示シート５２、窓板５１、取付板５６及び光源５４に対応する部材である。そしてこれら表示シート５２Ａ、窓板５１Ａ、取付板５６Ａ、光源５４Ａ及び拡散板５５によって表示部５Ａが構成される。この表示部５Ａは、従来例で示したように、またはそれ以外の適当な方法によって、火災受信機１の扉４に設けた窓孔４１に、扉４の内側から取り付けられる。
【００２１】
このように構成される火災受信機の表示部５Ａにおいて、レイアウトの変更があったときは、次のようにして表示部５Ａが改造され、レイアウトの変更に速やかに対応することができる。まず受信機の扉を開けて、扉から表示部５Ａを取り外す。そして表示部５Ａの表示シート５２Ａを拡散板５５から剥がして、そこに新しい警戒区域の図形が描かれた表示シート５２Ａをテープなどによって貼り直す。また表示素子５２Ａは、保持穴５６Ｂから引き抜いておく。そしてその表面側の表示シート５２Ａを確認しながら、表示素子５４Ａを所定の保持穴５６Ｂに差し込み直して、適切な場所に表示素子５４Ａを設置する。このように表示素子５４Ａの取付板５６Ａにおける取付場所は容易に変更可能である。
【００２２】
なお窓板５１Ａと取付板５６Ａをそれぞれ設けたが、これらを一体化してもよい。この場合には挿通穴５１Ｂと保持穴５６Ｂが１つの穴として形成される。また窓板５１Ａは必要に応じて省いてもよく、拡散シート５５や表示シート５２Ａを直に取付板５６に貼りつけるようにしてもよい。また拡散シート５５も省略することは可能であり、この場合には発光量の大きい表示素子５４を使用することが望ましい。
【００２３】
【発明の効果】
本発明の以上のように構成されるので、表示素子の取付板における取付位置を容易に変更することができる。また表示素子自体を保持穴内に差し込んで、表示素子を保持するようにしているので、ホルダなどの部品が不要であり、構造が簡単で安価で製造することができる。
【図面の簡単な説明】
【図１】図１は本発明の火災受信機の表示部の斜視図である。
【図２】図２は表示部の断面図である。
【図３】図３は取付板の保持穴の正面図である。
【図４】図４は従来例の分解斜視図である。
【図５】図５は従来例の正面図である。
【図６】図６は従来例の表示部の部分拡大図である。
【図７】図７は従来例の光源の取付構造を示す拡大断面図である
【符号の説明】
５Ａ  表示部、  ５１Ａ  窓板、  ５１Ｂ  挿通穴、  ５２Ａ  表示シート、５４Ａ  光源、  ５５  拡散シート、  ５６Ａ  取付板、  ５６Ｂ  保持穴
【図１】
0004095228.tif 000002
【図２】
0004095228.tif 000003
【図３】
0004095228.tif 000004
【図４】
0004095228.tif 000005
【図５】
0004095228.tif 000006
【図６】
0004095228.tif 000007
【図７】
0004095228.tif 000008